(57)【要約】【課題】画像の不正な複製を抑止することが困難であった。【解決手段】画像処理装置は、画像の内容を規定する画像内容データに、当該画像に関する権利の主体を特定するデータである権利主体特定データを付加することにより、当該画像内容データ及び当該権利主体特定データからなる画像データを生成し、印刷装置は、当該画像データに基づき、前記画像データにより規定される画像を印刷し、かつ、当該印刷された画像中に、前記権利主体特定データにより特定される前記権利の主体の氏名又は名称を印刷する。【選択図】図１
2009077011.tif 000002
【特許請求の範囲】
【請求項１】
画像の内容を規定する画像内容データに、当該画像に関する権利の主体を特定するデータである権利主体特定データを付加することにより、当該画像内容データ及び当該権利主体特定データからなる画像データを生成する処理部を含むことを特徴とする画像処理装置。
【請求項２】
画像の内容を規定する画像内容データと、当該画像に関する権利の主体を特定するデータである権利主体特定データとからなる画像データに基づき、前記画像データにより規定される画像を印刷し、かつ、当該印刷された画像中に、前記権利主体特定データにより特定される前記権利の主体の氏名又は名称を印刷する印刷部を含むことを特徴とする印刷装置。
【請求項３】
画像の内容を規定する画像内容データに、当該画像に関する権利の主体を特定するデータである権利主体特定データを付加することにより、当該画像内容データ及び当該権利主体特定データからなる画像データを生成する生成工程と、
前記画像データに基づき、前記画像データにより規定される画像を印刷し、かつ、当該印刷された画像中に、前記権利主体特定データにより特定される前記権利の主体の氏名又は名称を印刷する印刷工程とを含むことを特徴とする画像処理方法。
【発明の詳細な説明】
【技術分野】
【０００１】
本発明は、デジタルカメラ及びビデオカメラのような画像処理装置、インクジェットプリンタのような印刷装置、並びに画像処理方法に関する。
【背景技術】
【０００２】
下記の特許文献１に記載されているような従来の画像処理装置及び印刷装置は、画像を処理し又は印刷するときに、当該画像についての著作権に関する情報を取り扱っている。
【０００３】
【特許文献１】特開２００６−３０９８５４号公報
【発明の開示】
【発明が解決しようとする課題】
【０００４】
しかしながら、従来の画像処理装置及び印刷装置では、前記著作権に関する情報の取り扱いは、単に、当該画像を利用するユーザの利便性を向上させることを企図するだけであることから、前記画像についての不法行為、例えば、不正な複製を抑止することが困難であるという問題があった。
【課題を解決するための手段】
【０００５】
本発明は、上記した課題を解決すべく、以下の適用例により実現される。
【０００６】
［適用例１］
適用例１の画像処理装置は、画像の内容を規定する画像内容データに、当該画像に関する権利の主体を特定するデータである権利主体特定データを付加することにより、当該画像内容データ及び当該権利主体特定データからなる画像データを生成する処理部を含む。
【０００７】
［適用例２］
適用例２の印刷装置は、
画像の内容を規定する画像内容データと、当該画像に関する権利の主体を特定するデータである権利主体特定データとからなる画像データに基づき、前記画像データにより規定される画像を印刷し、かつ、当該印刷された画像中に、前記権利主体特定データにより特定される前記権利の主体の氏名又は名称を印刷する印刷部を含む。
【０００８】
適用例１の画像処理装置及び適用例２の印刷装置によれば、当該画像処理装置の前記処理部が、前記画像内容データ及び前記権利主体特定データからなる画像データを生成し、前記印刷装置の印刷部が、当該画像データに基づき、前記画像及び前記権利主体を印刷することにより、当該画像についての違法な複製行為をしないように注意を喚起することから、当該画像の不正な複製を抑止することが可能となる。
【０００９】
［適用例３］
適用例３の画像処理方法は、
画像の内容を規定する画像内容データに、当該画像に関する権利の主体を特定するデータである権利主体特定データを付加することにより、当該画像内容データ及び当該権利主体特定データからなる画像データを生成する生成工程と、
前記画像データに基づき、前記画像データにより規定される画像を印刷し、かつ、当該印刷された画像中に、前記権利主体特定データにより特定される前記権利の主体の氏名又は名称を印刷する印刷工程とを含む。
【発明を実施するための最良の形態】
【００１０】
実施例の画像処理装置及び印刷装置について図面を参照して説明する。
【００１１】
《構成》
〈画像処理装置〉
図１は、実施例の画像処理装置の構成を示し、図２は、実施例の印刷装置の構成を示し、図３は、当該画像処理装置と、印刷装置と、行為主体及び権利主体との関係を示す。実施例の画像処理装置ＩＰＤの構成及び印刷装置ＰＲの構成の説明に先立ち、行為主体及び権利主体間の関係を説明する。
【００１２】
図３に示されるように、画像処理装置ＩＰＤ（図１に図示。）の使用者（例えば、写真家）Ｐ１は、当該画像処理装置ＩＰＤを用いて被写体（例えば、モデル）Ｐ０を撮影し、即ち、『画像内容データ』である、当該モデルＰ０が写された画像を表す被写体画像データＩＭＧ＿Ｍを含む画像データＩＭＧ（図４に図示。）を作成する。当該作成の後、前記写真家Ｐ１は、当該被写体画像データＩＭＧ＿Ｍの著作権を会社（例えば、出版社）Ｐ２に譲渡する。当該譲渡の後、出版社Ｐ２は、前記画像データＩＭＧが記録された記憶媒体ＭＤを第三者（例えば、モデルＰ０のファン）Ｐ３に販売する。当該記憶媒体ＭＤ、正確には、当該画像データＩＭＧを購入したファンＰ３は、当該ファンＰ３が所有する印刷装置ＰＲを用いて、紙等の印刷媒体ＰＡに印刷することを試みる。
【００１３】
権利の主体について要約すれば、モデルＰ０、写真家Ｐ１、出版社Ｐ２は、前記被写体画像データＩＭＧ＿Ｍについて、それぞれ、肖像権、著作者人格権、著作権を有し、他方で、ファンＰ３は、前記被写体画像データＩＭＧ＿Ｍについて、少なくとも複製権を有しない。
【００１４】
図１で、実施例の画像処理装置ＩＰＤは、例えば、デジタルカメラであり、撮影部１と、操作部２と、処理部３と、記憶部４と、送信部５とを含む。
【００１５】
撮影部１は、例えば、ＣＣＤ撮像センサからなり、被写体である前記モデルＰ０を撮影することにより、前記被写体画像データＩＭＧ＿Ｍを生成する。
【００１６】
操作部２は、例えば、ボタン及びスイッチからなり、前記写真家Ｐ１が、撮影の操作を行うために用いられる。当該操作部２は、また、前記写真家Ｐ１が、前記モデルＰ０を撮影した後に、図４に示されるように、前記被写体画像データＩＭＧ＿Ｍに、当該モデルＰ０の氏名ＮＡ（Ｐ０）、当該写真家Ｐ１の氏名ＮＡ（Ｐ１）、当該出版社Ｐ２の名称ＮＡ（Ｐ２）を付加すべく、記憶部４内のデータベースＤＢ（モデルＰ０及び他のモデル（他のモデルは図示せず。）の氏名、並びに、出版社Ｐ２及び他の出版社（他の出版社は図示せず。）の名称が格納されている。）からモデルＰ０の氏名ＮＡ（Ｐ０）及び出版社Ｐ２のＮＡ（Ｐ２）を検索するために用いられる。
【００１７】
処理部３は、例えば、ＣＰＵであり、図４に示されるように、生成された被写体画像データＩＭＧ＿Ｍに、『権利主体特定データ』である、前記検索されたモデルＰ０の氏名ＮＡ（Ｐ０）、出版社Ｐ２の名称ＮＡ（Ｐ２）、及び、初期設定で定められている、写真家Ｐ１の氏名ＮＡ（Ｐ１）を付加することにより、被写体画像データＩＭＧ＿Ｍ、モデルＰ０の氏名ＮＡ（Ｐ０）、写真家Ｐ１の氏名ＮＡ（Ｐ１）、及び、出版社Ｐ２の名称ＮＡ（Ｐ２）からなる画像データＩＭＧを作成する。
【００１８】
記憶部４は、例えば、ハードディスク、又は不揮発性メモリ（ＦｅＲＡＭ）からなり、上記したように、モデルＰ０及び他のモデルの氏名、並びに、出版社Ｐ２及び他の出版社の名称を含むデータベースＤＢを記憶している。
【００１９】
送信部５は、例えば、ネットワーク・インターフェースであり、前記処理部３により作成された前記画像データＩＭＧを、例えば、インターネット及びイントラネットのようなネットワークを経由して、出版社Ｐ２内のサーバ装置（図示せず。）へ送信する。出版社Ｐ２は、当該サーバ装置が受信した画像データＩＭＧを基に当該画像データＩＭＧが記憶された記憶媒体ＭＤ（図３に図示。）を製作し、当該記憶媒体ＭＤを、例えば、書店及びＰＣショップ等で販売する。
【００２０】
〈印刷装置〉
図２に示される印刷装置ＰＲは、例えば、インクジェットプリンタであり、特に、人物の顔をより鮮明に印刷することができる機能を有し、図２に示されるように、読出部１１と、操作部１２と、処理部１３と、印刷部１４と、記憶部１５とを含む。
【００２１】
読出部１１は、ファンＰ３が購入した前記記憶媒体ＭＤから前記画像データＩＭＧを読み出す機能を有する。
【００２２】
操作部１２は、例えば、ボタン及びスイッチからなり、上記したファンＰ３が、当該印刷装置ＰＲに被写体画像データＩＭＧ＿Ｍを印刷させようとするための命令を入力するために用いられる。
【００２３】
処理部１３は、例えば、ＣＰＵ及び論理回路からなり、読出部１１が記憶媒体ＭＤから読み出した被写体画像データＩＭＧ＿Ｍに、前記操作部１２により与えられた命令を実行する上で必要な処理、例えば、逆光下で撮影された人物の顔についてその明度の補正を行う。
【００２４】
印刷部１４は、例えば、複数のノズルを有するプリンタヘッドを備え、当該複数のノズルから液滴を紙等の印刷媒体ＰＡ（図３に図示。）に吐出することにより、例えば、前記被写体画像データＩＭＧ＿Ｍにより特定される画像、即ち、モデルＰ０の画像を印刷媒体ＰＡに印刷し、また、モデルＰ０の氏名ＮＡ（Ｐ０）、写真家Ｐ１の氏名ＮＡ（Ｐ１）、出版社Ｐ２の名称ＮＡ（Ｐ２）をも当該印刷媒体ＰＡに印刷する。
【００２５】
記憶部１５は、例えば、ＲＡＭ又は不揮発性メモリ（ＦｅＲＡＭ）からなり、前記読出部１１による読み出し、前記処理部１３による処理、及び前記印刷部１４による印刷に必要な作業領域として使用される。
【００２６】
《動作》
図５は、実施例の画像処理装置及び印刷装置の動作を示すフローチャートである。以下、実施例の画像処理装置及び印刷装置の動作を図５のフローチャートに沿って説明する。
【００２７】
ステップＳ１：写真家Ｐ１は、画像処理装置ＩＰＤを用いて、モデルＰ０を撮影する。これにより、当該モデルＰ０が撮影された画像である被写体画像データＩＭＧ＿Ｍを取得する。
【００２８】
ステップＳ２：写真家Ｐ１は、操作部２により記憶部４のデータベースＤＢを検索することにより、前記モデルＰ０の氏名ＮＡ（Ｐ０を検索し、かつ、前記取得された被写体画像データＩＭＧ＿Ｍの著作権の譲渡先である出版社Ｐ２の名称ＮＡ（Ｐ２）を検索する。写真家Ｐ１は、さらに、操作部２により「書き込み」を指示することにより、処理部３は、前記被写体画像データＩＭＧ＿Ｍに、前記検索されたモデルＰ０の氏名ＮＡ（Ｐ０）、写真家Ｐ１の氏名ＮＡ（Ｐ１）、及び、出版社Ｐ２の名称ＮＡ（Ｐ２）を付加することにより、図４に示されるような画像データＩＭＧを作成する。
【００２９】
ステップＳ３：写真家Ｐ１は、操作部２から「送信」を指示することにより、送信部５は、前記画像データＩＭＧを出版社Ｐ２に送信する。これにより、出版社Ｐ２は、画像データＩＭＧを受信する。出版社Ｐ２は、前記受信の後、前記画像データＩＭＧが記録されている記憶媒体ＭＤを販売し、ファンＰ３が当該記憶媒体ＭＤを購入する。
【００３０】
ステップＳ４：ファンＰ３は、記憶媒体ＭＤに記録されている画像データＩＭＧを、当該ファンＰ３が所有する印刷装置ＰＲで印刷すべく、当該記憶媒体ＭＤを印刷装置ＰＲにセットした後、操作部１２により「印刷」を命令する。
【００３１】
ステップＳ５：印刷装置ＰＲでは、読出部１１は、記憶媒体ＭＤから画像データＩＭＧを読み出し、即ち、被写体画像データＩＭＧ＿Ｍ、モデルＰ０の氏名ＮＡ（Ｐ０）、写真家Ｐ１の氏名ＮＡ（Ｐ１）、出版社Ｐ２の名称ＮＡ（Ｐ２）を読み出し、印刷部１４は、図６に示されるように、印刷媒体ＰＡに、被写体画像データＩＭＧ＿Ｍを印刷するだけでなく、肖像権者、著作者人格権者、著作権者として、それぞれ、モデルＰ０の氏名ＮＡ（Ｐ０）、写真家Ｐ１の氏名ＮＡ（Ｐ１）、出版社Ｐ２の名称ＮＡ（Ｐ２）をも印刷する。
【００３２】
《効果》
上述したように、実施例の画像処理装置ＩＰＤ及び印刷装置ＰＲでは、画像処理装置ＩＰＤの処理部３が、図４に示されるように、被写体画像データＩＭＧ＿Ｍに、モデルＰ０の氏名ＮＡ（Ｐ０）、写真家Ｐ１の氏名ＮＡ（Ｐ１）、及び、出版社Ｐ２の名称ＮＡ（Ｐ２）を付加することにより画像データＩＭＧを作成し、他方で、印刷装置ＰＲの印刷部１４が、図６に示されるように、印刷媒体ＰＡに、被写体画像データＩＭＧ＿Ｍに加えて、肖像権者、著作者人格権者、著作権者として、それぞれ、モデルＰ０の氏名ＮＡ（Ｐ０）、写真家Ｐ１の氏名ＮＡ（Ｐ１）、及び、出版社Ｐ２の名称ＮＡ（Ｐ２）を印刷することにより、ファンＰ３に、当該被写体画像データＩＭＧ＿Ｍを無断で複製等すべきでない旨の注意を喚起することから、当該ファンＰ３による当該被写体画像データＩＭＧ＿Ｍの権原無き複製等を抑制することが可能となる。
【図面の簡単な説明】
【００３３】
【図１】実施例の画像処理装置の構成を示す図。
【図２】実施例の印刷装置の構成を示す図。
【図３】実施例の肖像権者、著作者人格権者、著作権者を示す図。
【図４】実施例の画像データの構成を示す図。
【図５】実施例の画像処理装置及び印刷装置の動作を示すフローチャート。
【図６】実施例の印刷装置により印刷される内容を示す図。
【符号の説明】
【００３４】
ＩＰＤ…画像処理装置、１…撮影部、２…操作部、３…処理部、４…記憶部、５…送信部、ＩＭＧ…画像データ。
【図１】
2009077011.tif 000003
【図２】
2009077011.tif 000004
【図３】
2009077011.tif 000005
【図４】
2009077011.tif 000006
【図５】
2009077011.tif 000007
【図６】
2009077011.tif 000008